(57)【要約】【課題】内部からカビ臭が発生する可能性がある物品又は構造体の開口部からカビ臭が外部に拡散し、あるいは、塵や埃が内部に侵入するのを有効に防止し得るとともに、軽量性、通気性、さらには開口部内部の透視性に優れ、しかも汚れたら水洗いして繰り返し利用できる布帛を提供する。【解決手段】内部からカビ臭が発生する可能性がある物品又は構造体の開口部の全部もしくは一部を覆うための布帛であって、厚み１ｍｍ未満かつ目付８０ｇ／ｍ２以下の通気性不織布、又は、厚み１〜５ｍｍかつ目付２５０ｇ／ｍ２以下の通気性不織布に、水不溶性ないし難溶性の抗菌剤を付着させたことを特徴とする布帛である。【選択図】図１
2019189967.tif 000002
【特許請求の範囲】
【請求項１】
内部からカビ臭が発生する可能性がある物品又は構造体の開口部の全部もしくは一部を覆うための布帛であって、厚みが１ｍｍ未満かつ目付が８０ｇ／ｍ２以下の通気性不織布に、抗菌剤を付着させたことを特徴とする布帛。
【請求項２】
内部からカビ臭が発生する可能性がある物品又は構造体の開口部の全部もしくは一部を覆うための布帛であって、厚みが１〜５ｍｍかつ目付が２５０ｇ／ｍ２以下の通気性不織布に、抗菌剤を付着させたことを特徴とする布帛。
【請求項３】
水洗再利用可能である請求項１又は２に記載の布帛。
【請求項４】
物品又は構造体が、個包装箱に収容された靴又は空気調和機、空気清浄機、送風機、除湿器、加湿器、エアーコンプレッサー、エアードライヤー、掃除機、電気製品の制御盤放熱ファン、書棚、陳列棚もしくは靴収納棚である請求項１〜３のいずれかに記載の布帛。
【請求項５】
開口部を有する構造体に止着用部材を介して止着可能である請求項１〜４のいずれかに記載の布帛。
【請求項６】
止着用部材がメカニカルファスナーである請求項５に記載の布帛。
【請求項７】
抗菌剤が、２−（４−チアゾリル）ベンゾイミダゾール（ＴＢＺ）と、イソチアゾリン系化合物から選択される１種又は２種以上と、を含む抗菌剤である請求項１〜６のいずれかに記載の布帛。
【発明の詳細な説明】
【技術分野】
【０００１】
本発明は、開口部用抗菌布帛に関する。詳細には、内部からカビ臭が発生する可能性がある物品又は構造体の開口部の全部もしくは一部を覆うために着脱自在に使うことができ、しかも汚れたら洗って繰り返し使うことができる布帛に関する。
【背景技術】
【０００２】
日常生活において身近な、開口部のある構造体である空気調和機は、運転開始時あるいは運転中に悪臭を発することがある。その他にも、空気清浄機、エアーコンディショナー、除湿器、加湿器、エアーコンプレッサー、エアードライヤー等の空調機器や、扇風機等の送風機、電気掃除機等の電気製品、電気製品の制御盤放熱ファン等の構造体からも、同様に悪臭が発せられることがある。この悪臭は、屋内の空気中に含まれるカビ、細菌等の微生物がゴミと共に熱交換器上に付着し、適度の温度と湿度で微生物がゴミ等の付着物を腐敗させることが原因ではないかと言われている。電気製品以外に、靴等の物品、書籍（特に古書）を収容した書棚や、生鮮食品を陳列した陳列棚、靴収納棚（箱）等からも、カビ臭、インキ臭、革ナメシ臭等が発せられることがある。
【０００３】
靴及び電気製品等が放つ悪臭対策として、活性炭、アルミナ、シリカゲル等の吸着剤や、悪臭を放つ物質と反応する薬剤等を充填したフィルターを用いる方法が知られている。しかし、吸着剤による方法では多量の吸着剤が必要であり、吸着剤に吸着された物質が変質し却って強い悪臭を発することもある。薬剤を利用して悪臭を化学的に分解する方法は、悪臭の種類によっては有効な方法であるが、薬剤がなくなればその効果はなくなり、薬剤を絶えず補給する必要がある。
【０００４】
空気調和機には通常、ゴミや微生物を除去するためのプレフィルターが設置されているが、プレフィルターの掃除は大変な労力を要するため、プレフィルター前流に、通気性と防カビ性を有するプレプレフィルター（登録商標）が設置されていると大変便宜である。
【０００５】
特許文献１には、透湿性、結露発生防止効果があり、保存食品等との関係で有害なカビの発生を防止することができる、オープンショーケース用ナイトカバーが開示されている。カバー本体を比較的薄手で全面透湿性の織物もしくは編物により形成し、防カビ剤のカバーへの付着増強剤としてゼラチン等を用い、防カビ剤としてポリリジン、ナイシン等のペプチド系化合物を使用し、防カビ剤をスプレーで付着させている。
しかし、オープンショーケース内に保存する野菜や食品を汚染することがないように、ポリエステル製の織物地や編物地を基布に用いているため、透視性がなく開口部の内部を見ることができないだけでなく、軽量性の点でも劣る。水洗して繰り返し利用できるものでもない。
【先行技術文献】
【特許文献】
【０００６】
【特許文献１】特開２００６−１６７２８４号公報
【発明の概要】
【発明が解決しようとする課題】
【０００７】
本発明は、上記事情に鑑みてなされたものであり、内部からカビ臭が発生する可能性がある物品又は構造体の開口部からカビ臭が外部に拡散し、あるいは、塵や埃が内部に侵入するのを有効に防止し得るとともに、軽量性、通気性、さらには開口部内部の透視性に優れ、しかも汚れたら水洗いして繰り返し利用できる布帛を提供することを課題とする。
【課題を解決するための手段】
【０００８】
本発明者は、上記課題を解決するため、軽量性、通気性、透視性に優れている素材として不織布に着目し、該不織布に抗菌剤を強固に付着させることにより、上記課題を一挙に解決し得ることを見出し、本発明を完成するに至った。
【０００９】
すなわち、本発明は、内部からカビ臭が発生する可能性がある物品又は構造体の開口部の全部もしくは一部を覆うための布帛であって、厚み１ｍｍ未満かつ目付８０ｇ／ｍ２以下の通気性不織布に、抗菌剤を付着させたことを特徴とする布帛を提供する。
この布帛は、軽量性、透視性、柔軟性に優れているため、当該布帛で靴等の物品を包み込むことにより、新品の靴が発する革ナメシ臭や、使用中の靴から発せられる汗臭を除去することができる。
【００１０】
また、本発明は、内部からカビ臭が発生する可能性がある物品又は構造体の開口部の全部もしくは一部を覆うための布帛であって、厚み１〜５ｍｍかつ目付２５０ｇ／ｍ２以下の通気性不織布に、抗菌剤を付着させたことを特徴とする布帛を提供する。
この布帛で空気調和機や空気清浄機の空気取入口や吹出口を覆うことにより、塵や埃が内部へ侵入するのを防止でき、室内にカビ臭が拡散するのを防止できる。目付量が比較的大きいため耐久性があり、水洗いして繰り返し使用できる。
【００１１】
本発明の布帛は、水洗いするだけで繰り返し使用することができ、物品又は構造体として、個包装箱に収容された靴又は空気調和機、空気清浄機、送風機、除湿器、加湿器、エアーコンプレッサー、エアードライヤー、掃除機、電気製品の制御盤放熱ファン、書棚、陳列棚もしくは靴収納棚の各種棚に、好ましく適用することができる。
また、布帛は、開口部を有する構造体に、メカニカルファスナー等の止着用部材を介して止着可能である。
抗菌剤としては、２−（４−チアゾリル）ベンゾイミダゾール（ＴＢＺ）と、イソチアゾリン系化合物から選択される１種又は２種以上とを含む、水不溶性もしくは水難溶性の抗菌剤が好ましい。
【発明の効果】
【００１２】
本発明に係る布帛は、軽量であるため取扱い容易であり、通気性が良好であるため空気調和機等の機能を損なうことがない。物品又は構造体の内部から発生するカビ臭が外部に拡散するのを有効に防止すると共に、粉、塵、埃等が内部に侵入するのを防止できる。さらに日焼け防止効果や防汚効果も有る。機能が低下したり汚れたりした場合は、水洗いすることで付着した粉、塵、埃等を簡単に取り除くことができ、乾燥後は再使用が可能である。面倒なプレフィルター交換の頻度を減らすことができる。
開口部を有する構造体には、止着用部材を介して止着することができるので、布帛の開口部への着脱が容易となる。
【図面の簡単な説明】
【００１３】
【図１】本発明の布帛を空気調和機の吹出口に取付けた一例を示す概略図。
【図２】本発明の布帛を空気調和機の空気取入口に取付けた一例を示す概略図。
【発明を実施するための形態】
【００１４】
以下、本発明を詳細に説明する。
本発明の布帛は、内部からカビ臭が発生する可能性がある物品又は構造体の開口部の全部もしくは一部を覆うための布帛であり、詳細には、厚み１ｍｍ未満、かつ、目付８０ｇ／ｍ２以下の通気性不織布、又は、厚み１〜５ｍｍ、かつ、目付２５０ｇ／ｍ２以下の通気性不織布に、それぞれ、抗菌剤を付着させたものである。
【００１５】
本発明において、物品の例としては、靴が挙げられる。靴は、新品（未使用）及び使用後の靴のいずれでも良い。とりわけ、本発明の布帛は、個包装箱に収容された靴（即ち、新品の靴）に特有な接着剤臭や革ナメシ臭等の除去に好適である。
本発明において、構造体の例としては、空気調和機、空気清浄機、送風機、除湿器、加湿器、エアーコンプレッサー、エアードライヤー、掃除機、電気製品の制御盤放熱ファン等の電気製品、書棚、陳列棚、靴収納棚等の棚が挙げられる。本発明の布帛は、これらの構造体に特有なカビ臭等の除去に好適である。
上記の物品及び構造体は、いずれも開口部を有するものである。
【００１６】
以下、本発明の布帛を空気調和機に使用した例に挙げ、図面を参照しつつ説明する。
【００１７】
図１は、本発明の布帛１３を、空気調和機（構造体）１０の吹出口１２に取付けた一例を示す概略図である。図２は、本発明の布帛２３を、空気調和機２０の空気取入口２４に取付けた一例を示す概略図である。これらの空気調和機は、内部に設置されたプレフィルター等に付着した塵や埃を微生物が腐敗させることにより、カビ臭が発生する可能性があるものである。
【００１８】
図１において、空気調和機１０は、空気取入口１４から取り入れた外気を浄化するためのプレフィルター１１、熱交換器１５及びファン１６が設けられている。空気調和機１０は、取り入れた空気が前記プレフィルター１１を通過した後、熱交換器１５により送風温度が調整され、布帛１３を通過し、吹出口１２から室内に送風される機構を有している。この布帛１３は、空気調和機１０の吹出口１２に備えられた止着用部材（メカニカルファスナー）のフック材に係止している。
【００１９】
上記の「フック材」とは、メカニカルファスナーの凸部材であり、当該凸部材が通気性不織布に引っ掛かることにより固定を行うことができるものである。フック材は止着テープの本体の表面に付設される。「フック材」としては、例えば、表面に多数の突起（鉤状、きのこ状、錨状等）が形成されたものが用いられる。あるいは、布帛に、止着用部材として両面テープを貼着し、該両面テープを介して、布帛を構造体に貼着しても良い。
【００２０】
図１に示すように、本発明の布帛を吹出口に配置するだけで、空気調和機の内部で繁殖したカビや、除塵フィルターを通過した塵、埃等が室内側に送風されることが防止されるため、室内環境を飛躍的に向上させることができる。空気調和機だけでなく、空気清浄機ユニット、送風機、書棚、靴収納棚等の構造体の開口部に配置した場合にも同様の効果が得られる。
【００２１】
図２において、空気調和機２０は、空気取入口２４から取り入れた外気を浄化するためのプレフィルター２１、熱交換器２５及びファン２６が設けられている。空気調和機２０は、取り入れた空気が布帛２３を通過した後にプレフィルター２１を通過し、熱交換器２５により送風温度が調整され、吹出口２２から室内に送風される機構を有している。この布帛２３は、図１と同様、止着用部材（メカニカルファスナー）のフック材に係止している。
【００２２】
図２に示すように、本発明の布帛２３を空気取入口２４に配置することにより、塵や埃が空気調和機２０内に侵入することを防止でき、空気調和機２０内部でのカビ臭発生を未然に防止することができるため、室内環境を飛躍的に向上させることができる。また、食品工場において、空気調和機に小麦粉が侵入してプレフィルターを詰まらせる現象を防止する効果もある。
【００２３】
なお、図１及び図２では、開口部（吹出口、空気取入口）の全部が布帛で覆われている例を示したが、本発明はこれに限定されず、使用箇所の状況や環境に合わせて適宜変更が可能であり、例えば、開口部の一部だけを覆う（閉じる）ように使用することもできる。
【００２４】
また、本発明の布帛は、後述するように、抗菌剤を不織布に強固に付着させている。そのため、布帛に付着した塵や埃で菌が繁殖することを効果的に防止することができる。
さらに、本発明の布帛は、水道水で水洗いすることにより付着した菌や汚れを簡単に洗い落とすことができ、しかも抗菌剤が不織布から脱落しないため、水洗後は乾燥させることで再使用可能である。このため、化学薬品による殺菌、除菌や洗浄の手間がかからず、また布帛自体の交換頻度も減少させることができるため、コスト、洗浄時間の短縮、メンテナンス容易性等の効果がある。
【００２５】
＜布帛＞
本発明の布帛は、通気性不織布を基材とし、該基材に抗菌剤をスプレー塗布、含浸等により付着させた後、乾燥することにより製造することができる。そのため、通気性不織布が本来有している通気性、軽量性、透視性を損なうことがない。さらに、後述するバインダー樹脂を用いて、抗菌剤を保湿ポリマーとともに付着させることにより、抗菌剤をより強固に付着させることができる。そのため、水洗により抗菌剤が脱落することなく、抗菌剤を乾燥から保護することができるため、長期間使用することができる。
【００２６】
＜通気性不織布＞
通気性不織布としては、厚みが１ｍｍ未満かつ目付が８０ｇ／ｍ２以下のもの、又は、厚みが１〜５ｍｍかつ目付が２５０ｇ／ｍ２以下のもの、が用いられる。
通気性不織布の厚み及び目付は、ＪＩＳ  Ｌ１９１３「一般不織布試験方法」に記載の６．１  厚み及び６．２  単位面積当たりの質量により測定される。
【００２７】
通気性不織布として、厚みが１ｍｍ未満かつ目付が８０ｇ／ｍ２以下のものを用いることにより、薄くて柔軟性があり、通気性、透視性、日焼け防止性に優れる、防カビ・抗菌性を有する布帛を得ることができる。抗菌剤付着量が比較的少ないため、軽度の臭気対策を必要とする、使用前後の靴の包装材として使用すると、個包装箱から靴を出す際に感じることがある臭気を低減することができる。また、電気製品や書棚、陳列棚、靴収納棚の開口部等のカバーとして使用することにより、カビ臭、塵付着、日焼けを防止できる効果がある。
より好ましくは、厚み０．１〜１ｍｍ、目付１０〜８０ｇ／ｍ２、特に好ましくは、厚み０．２〜０．８ｍｍ、目付３０〜６５ｇ／ｍ２である。
【００２８】
通気性不織布として、厚みが１〜５ｍｍかつ目付が２５０ｇ／ｍ２以下のものを用いることにより、通気性、集塵性、水洗による繰り返し使用可能性に優れる、防カビ・抗菌性を有する布帛を得ることができる。目付が大きく抗菌剤付着量が比較的多いため、空気調和機、空気清浄機ユニット、送風機、掃除機、その他電気製品等の開口部等に好適に使用することにより、プレフィルターの交換頻度を減らすことができる。
より好ましくは、厚み１〜５ｍｍ、目付４０〜２５０ｇ／ｍ２、特に好ましくは、厚み１〜４ｍｍ、目付４０〜２５０ｇ／ｍ２である。
【００２９】
通気性不織布の好ましい繊維素材としては、ポリエチレン、ポリプロピレン、ナイロン、ポリエステル、レーヨン等が挙げられる。耐熱性、耐久性の点で、ポリプロピレン、ポリエステルが好ましい。
【００３０】
通気性不織布は、上記の繊維素材から、ニードルパンチ法、スパンレース法、メルトブローン法、スパンボンド法等で作製したウェブを、必要に応じて熱処理することにより作製されるものであり、粗塵用エアフィルター、中性能エアフィルター、ＨＥＰＡフィルター、ＵＬＰＡフィルター用として用いられる不織布を好ましく用いることができる。
例えば、厚み１ｍｍ未満かつ目付８０ｇ／ｍ２以下の通気性不織布は、メルトブローン法で製造されたものが好適に用いられる。
また、厚み１〜５ｍｍかつ目付２５０ｇ／ｍ２以下の通気性不織布は、厚みと通気性を備えるものが求められるため、ポリプロピレン製のメルトブローン不織布やスパンボンド不織布と、剛性の大きい乾式不織布等とを貼り合せたもの、或いは、合成繊維からなるネット上にポリエチレンやポリプロピレンの短繊維ウエブを紡出したものが好適に用いられる。
【００３１】
＜抗菌剤＞
抗菌剤としては、例えば、銀系化合物、亜鉛系化合物ジンクピリチオン（ＺＰＴ）等のピリチオン系化合物、ベンズイミダゾール系化合物、イソチアゾリン系化合物等の水不溶性ないし難溶性の化合物を好ましく挙げることができ、これらの抗菌剤の中から、１種又は２種以上を選択して用いることができる。
【００３２】
抗菌剤の中でも、ベンズイミダゾール系化合物である、２−（４−チアゾリル）ベンゾイミダゾール［ＴＢＺ］と、イソチアゾリン系化合物から選択される１種又は２種以上と、を含むことが好ましい。これらは有機系抗菌剤で酸素のチオール基を作用点とする薬剤である。ＴＢＺとイソチアゾリン系化合物とを併用することにより、種々のカビ及び細菌に対して、優れた抗菌・防カビ効果を発揮することが可能になる。ＴＢＺとイソチアゾリン系化合物との比率は、質量比で１：１〜１０の範囲が好ましい。
【００３３】
ＴＢＺは、ベンズイミダゾール系化合物の中でもカビに対し非常に高い活性と広いスペクトルを示し、水及び有機溶媒に難溶で、融点が高い（約３００℃）ため、温風下に曝された場合でも揮発する恐れがなく、バインダー樹脂中での担持性に優れている。
【００３４】
イソチアゾリン系化合物は、細菌・カビに高い活性と広いスペクトルを示す。殺菌性と防食性を有している。イソチアゾリン系化合物は、１種又は２種以上を併用することが好ましく、２種以上併用することにより、種々の細菌・カビに対して高い活性を示すようになる。
イソチアゾリン系化合物の好ましい具体例としては、例えば、２−ｎ−オクチル−４−イソチアゾリン−３−オン［ＯＩＴ］、２−メチル−４−イソチアゾリン−３−オン［ＭＩＴ］、２−メチル−４，５−トリメチレン−４−イソチアゾリン−３−オン［ＭＴＩ］、１，２−ベンズイソチアゾリン−３−オン［ＢＩＴ］、Ｎ−ｎ−ブチル−１，２−ベンズイソチアゾリン−３−オン［Ｂｕ−ＢＩＴ］等が挙げられる。これらのイソチアゾリン系化合物は、抗微生物性があり高温下に曝されても揮発する恐れがなく扱い易い利点がある。この中でも、ＯＩＴ、ＭＩＴ、ＢＩＴ、Ｂｕ−ＢＩＴがより好ましい。
【００３５】
抗菌剤は、バインダー樹脂及び保湿ポリマーとともに、水に溶解あるいは分散させて液を調製し、調製した液を、通気性不織布にスプレーあるいはディッピング等した後、自然乾燥又は加熱（好ましくは７０℃以下）もしくは送風により強制乾燥することにより、通気性不織布に付着させることが好ましい。
【００３６】
通気性不織布に対する、抗菌剤の付着量は、１〜１０質量％の範囲が好ましい。この範囲であれば、通気性不織布に抗菌・防カビ性を付与することができ、抗菌剤が異物となって現れる現象が生じにくい。同様に、バインダー樹脂（固形分換算）の付着量は、０．１〜５質量％の範囲、保湿ポリマーの付着量は、０．０１〜５質量％の範囲が好ましい。
【００３７】
＜バインダー樹脂＞
バインダー樹脂は、抗菌剤を担持する機能を有するものであれば、公知の樹脂やポリマー類を用いることができる。例えば、アクリル系樹脂、酢酸ビニル系樹脂、ウレタン系樹脂、ゴム系エラストマー等が挙げられるが、アクリル系樹脂が好ましい。これにより、抗菌剤を通気性不織布に強固に付着させることができる。
【００３８】
その中でも、アクリルシリコーン系樹脂は、不織布への密着性、耐候性に優れるだけでなく、膜の伸縮性、破断伸度に優れているため、送風ファン等から風を受けた際に剥離・落剥しにくい点で優れている。また、不織布のごみや埃が付着することを防止する防汚効果もある。季節による気温の変動にも強い。
【００３９】
アクリルシリコーン系樹脂の製法には、シリコーンマクロマーや反応性シリコーンモノマーを用いたグラフト反応による方法、ヒドロシリル化反応による方法、ブロック共重合体を用いた方法等がある。本発明で用いるアクリルシリコーン樹脂は、どのような方法で製造されたものでも良い。中でも、抗菌剤との配合が容易で、密着性も優れている点より、アクリルシリコーン系樹脂エマルジョンとして市販されている製品を好ましく用いることができる。
【００４０】
＜保湿ポリマー＞
保湿ポリマーは、通気性不織布及び／又はバインダー樹脂膜に付着する、親水性化合物であれば、公知の化合物を１種又は２種以上用いることができ、通気性不織布への密着性に優れている点でポリマーが好ましい。この保湿ポリマーにより、バインダー樹脂膜に担持された抗菌剤を乾燥状態から保護し、その機能を長期間に亘って発現させることができる。保湿ポリマーは、カビや細菌が抗菌剤への耐性を持った野生菌になり、抗菌剤が本来の機能を発現しなくなることを防止する効果がある。
【００４１】
保湿ポリマーの具体例としては、例えば、グァーガム、ローカストビーンガム、キサンタンガム、カラギーナン、ペクチン、マンナン、アルギン酸等の多糖類；メチルセルロース、ヒドロキシメチルセルロース、ヒドロキシエチルセルロース、ヒドロキシプロピルセルロース、ポリビニルピロリドン等の非イオン性ポリマー；カチオン性ポリマー；両性ポリマー；ポリエチレングリコール、ヒアルロン酸等を挙げることができる。これらの保湿ポリマーは１種を単独で又は２種以上を組合せて用いることができる。
【００４２】
上記の保湿ポリマーの中でも、バインダー樹脂との相溶性が良好で液調製が容易である点、及び抗菌剤の作用を阻害しにくい点より、カチオン性ポリマー、両性ポリマーが好ましく、カチオン性ポリマーが特に好ましい。
カチオン性ポリマーとしては、例えば、２−メタクリロイルオキシエチルホスホリルコリン（ＭＰＣ）／アクリル系モノマーとの共重合体（例えば、２−メタクリロイルオキシエチルホスホリルコリン（ＭＰＣ）／ブチルアクリレートコポリマー（ＬＩＰＩＤＵＲＥ、日油社）等）、ビニルイミダゾリウムクロライド／ビニルピロリドンコポリマー（ルビカット、ＢＡＳＦ社）、ヒドロキシエチルセルロース／ジメチルジアリルアンモニウムクロライドコポリマー（セルカット、ナショナル・スターチ社）、ジメチルジアリルアンモニウムクロライド／アクリルアミドコポリマー（マーコート、ナルコ社）、ポリビニルピロリドン／四級化ジメチルアミノエチルメタクリレートコポリマー（ガフカット、ＩＳＰ社）、ポリビニルピロリドン／アルキルアミノアクリレートコポリマー（ルビフレックス、ＢＡＳＦ社）、ポリビニルピロリドン／アルキルアミノアクリレート／ビニルカプロラクタムコポリマー、ビニルピロリドン／メタクリルアミドプロピル塩化トリメチルアンモニウムコポリマー（以上、ＩＳＰ社）等が挙げられる。
【００４３】
また、通気性不織布には、本発明による効果が阻害されない範囲で、紫外線吸収剤、光安定剤、充填剤、可塑剤、顔料、着色剤、防腐剤、消泡剤、界面活性剤、帯電防止剤、消臭剤、ｐＨ調整剤、香料等の任意成分が、１種又は２種以上付着していても良い。
【実施例】
【００４４】
以下に、実施例を挙げて本発明をさらに詳しく説明する。しかしながら、本発明はこれら実施例に限定されるものではない。
【００４５】
（実施例１）
ベンズイミダゾール系抗菌剤１種類、イソチアゾリン系抗菌剤２種類、合計３種類の抗菌剤（合計）４０質量部、アクリルシリコーン系バインダー樹脂エマルジョン（固形分換算）２０質量部、カチオン性ポリマー１質量部を水に分散させ、抗菌剤を含む、固形分濃度５質量％の液を調製した。
市販のポリエステル製通気性不織布（目付：２００ｇ／ｍ２）を、上記調製液にディッピングした後、加熱・乾燥して、約４ｇ／ｍ２の抗菌剤を付着させた。抗菌剤を付着させた通気性不織布を、４０ｃｍ×４０ｃｍのサイズにカットして布帛を作製した。
縦４０ｃｍ×横４０ｃｍの空気清浄機ユニットの吹出口の枠材３箇所に、メカニカルファスナーを設置した。同サイズにカットした布帛の端部を、前記メカニカルファスナーを介して、吹出口全面を布帛で覆うように装着した。この状態で空気清浄機を１ヶ月間運転した。１ヶ月間使用した布帛について、以下の試験方法により、布帛に付着した菌数を観察した。
【００４６】
［試験方法］
１ヶ月間使用した布帛を空気清浄機から取り外し、縦１５ｃｍ×横１５ｃｍのサイズにカットして試験片を作製した。カットした試験片について、水に浸漬させなかったもの（ブランク）、水に浸漬させた後に水から取り上げて５時間自然乾燥したもの、又は、前記水から取り上げて１０時間自然乾燥させたものを用意し、それぞれ、ホモジナイザー（エルメックス社製）を用いて試験片の内部液を抽出し、抽出した内部液を培地に塗抹して培養した。培養培地の菌数（ｃｆｕ／ｇ）を目視にてカウントした。
【００４７】
（実施例２）
カットした試験片について、市販の霧吹きを用いて、試験片に水を１０プッシュ噴霧した後に５時間自然乾燥した以外は、実施例１の試験方法と同じ方法で試験した。
【００４８】
（比較例１〜２）
試験片として、布帛を取付けずに１ヶ月間運転した空気清浄機のプレフィルターを用いた以外は、実施例１又は実施例２と同じ方法で試験した。
【００４９】
試験結果を、表１に示す。
【００５０】
【表１】
2019189967.tif 000003
【００５１】
表１の結果から、本発明の布帛を取り付けることにより、プレフィルターの減菌効果があることがわかる。さらに、本発明によれば、霧吹きによる噴霧であっても布帛の減菌効果が得られることがわかる。これに対し、本発明の布帛を取り付けなかった空気清浄機のプレフィルターは、水分を栄養源として菌数が増加した。
【００５２】
本発明によれば、抗菌剤を付着させた布帛を、物品又は構造体の開口部に使用することにより、菌や塵埃を布帛に付着させることができるため、内部への菌や塵、埃の侵入を防止でき、それによりカビ臭の発生を効果的に抑制することができる。また、物品又は構造体内部で発生したカビ臭や菌の飛散を効果的に防止できる。
【００５３】
さらに使用後の布帛をまんべんなく水と接触させることで減菌効果が得られるため、化学薬品等を使用した煩雑な洗浄作業をすることなく洗浄可能であり、乾燥後は再使用可能である。本発明の布帛は、特に食品工場やクリーンルーム等に効果的に使用することができる。
【００５４】
（実施例３）
実施例１で作製した、通気性不織布に抗菌剤を付着させた布帛を１００ｃｍ×７５ｃｍのサイズにカットしたものを、市販の強粘着テープを介して、一日約３時間、間接光が差し込む書棚の前面の上半分を覆うように貼着しカバーした。６ヶ月後に書棚中の書籍のカバーの退色を目視で確認した。布帛を貼着した書棚部分の書籍は退色が認められなかったが、布帛を貼着していない書棚部分の書籍は退色が認められた。
【産業上の利用可能性】
【００５５】
本発明の布帛は、靴等の物品、又は、空気調和機、空気清浄機、送風機、除湿器、加湿器、エアーコンプレッサー、エアードライヤー、掃除機、電気製品の制御盤放熱ファン、柵、書棚、陳列棚、靴収納棚等の各種構造体の開口部に使用できるため、靴を取り扱う販売店の商品の品質保持や工場、病院、学校、厨房、オフィス、自動車、車両、一般家庭等における室内環境の改善に対する貢献度は極めて大である。
【符号の説明】
【００５６】
１０、２０  空気調和機
１１、２１  フィルター
１２、２２  吹出口
１３、２３  （水洗再利用）布帛
１４、２４  空気取入口
１５、２５  熱交換器
１６、２６  ファン
【図１】
2019189967.tif 000004
【図２】
2019189967.tif 000005
【手続補正書】
【提出日】平成30年9月26日(2018.9.26)
【手続補正１】
【補正対象書類名】明細書
【補正対象項目名】００３３
【補正方法】変更
【補正の内容】
【００３３】
ＴＢＺは、ベンズイミダゾール系化合物の中でもカビに対し非常に高い活性と広いスペクトルを示し、水及び有機溶媒に難溶で、沸点が高い（約３００℃）ため、温風下に曝された場合でも揮発する恐れがなく、バインダー樹脂中での担持性に優れている。